(57)【要約】【解決手段】マルチモード陸上移動無線（ＬＭＲ）及びＬＭＲデバイスを使用してＬＭＲコンテンツ（１３０）を伝達する方法を提供する。ＬＭＲは、ＬＭＲネットワーク（２４）と通信するよう構成されたＬＭＲ通信部（４０）と、セルラーデータネットワーク（２６）と通信するよう構成されたセルラーデータネットワーク通信部（４２）とを有する。
2008546250.tif 000002
【特許請求の範囲】
【請求項１】
陸上移動無線（ＬＭＲ）ネットワーク（２４）と通信するよう構成されたＬＭＲ通信部（４０）と、
セルラーデータネットワーク（２６）と通信するよう構成されたセルラーデータネットワーク通信部（４２）と
を具備することを特徴とする陸上移動無線（２２）。
【請求項２】
前記セルラーデータネットワーク通信部はセルラー無線モデム（３８）を具備することを特徴とする請求項１記載の陸上移動無線。
【請求項３】
前記ＬＭＲ通信部は、ＬＭＲプロトコルを使用して通信するよう構成され、
前記セルラーデータネットワーク通信部は、ＬＭＲ・オーバー・セルラープロトコルを使用して通信するよう構成されていることを特徴とする請求項１記載の陸上移動無線。
【請求項４】
前記ＬＭＲ・オーバー・セルラープロトコルは、パケットスイッチングプロトコルからなることを特徴とする請求項３記載の陸上移動無線。
【請求項５】
ＬＭＲコンテンツ（１３０）を伝達するために前記ＬＭＲ通信部及び前記セルラーデータネットワーク通信部の一方を選択するユーザーの入力を受信するよう構成されたユーザーインタフェース（２５０）をさらに具備することを特徴とする請求項１記載の陸上移動無線。
【請求項６】
ＬＭＲコンテンツ（１３０）を伝達するために前記ＬＭＲ通信部及び前記セルラーデータネットワーク通信部の一方を自動的に選択するよう構成されたプロセッサ（４５）をさらに具備することを特徴とする請求項１記載の陸上移動無線。
【請求項７】
動作条件、ユーザー設定及び所定の設定のうち少なくとも一つに基づいてＬＭＲコンテンツ（１３０）を伝達するために前記ＬＭＲ通信部及び前記セルラーデータネットワーク通信部の一方を自動的に選択するよう構成されたプロセッサ（４５）をさらに具備することを特徴とする請求項１記載の陸上移動無線。
【請求項８】
選択された通信ネットワークを識別するよう構成されたディスプレー（２４６）をさらに具備することを特徴とする請求項１記載の陸上移動無線。
【請求項９】
前記ＬＭＲ通信部及び前記セルラーデータネットワーク通信部を有すると共に携帯して操作するよう構成されたハウジング（２２２）をさらに具備することを特徴とする請求項１記載の陸上移動無線。
【請求項１０】
前記ＬＭＲ通信部及び前記セルラーデータネットワーク通信部を有すると共にデスクトップ又はダッシュボード（３１２）操作用に構成されたハウジング（２２２）をさらに具備することを特徴とする請求項１記載の陸上移動無線。
【請求項１１】
前記プロセッサは、前記セルラーデータネットワーク通信部を使用して通信する際に、パケットスイッチングプロトコルを使用してＬＭＲコンテンツをカプセル化するよう構成されていることを特徴とする請求項１記載の陸上移動無線。
【請求項１２】
前記プロセッサは、終端間暗号化、及び他の少なくとも１個のＬＭＲユニットとの終端間デジタルコード化の一方を可能にするよう構成されていることを特徴とする請求項１記載の陸上移動無線。
【請求項１３】
陸上移動無線（ＬＭＲ）と、
セルラー無線モデムと
を具備することを特徴とするマルチモード端末デバイス。
【請求項１４】
前記陸上移動無線は、ＬＭＲプロトコルを使用してＬＭＲコンテンツを伝達するよう構成され、
前記セルラー無線モデムは、ＬＭＲ・オーバー・セルラープロトコルを使用してＬＭＲコンテンツを伝達するよう構成されていることを特徴とする請求項１３記載のマルチモード端末デバイス。
【請求項１５】
前記ＬＭＲ・オーバー・セルラープロトコルは、パケットスイッチングプロトコルを有すると共に、前記セルラー無線モデムを使用して通信する際に、前記パケットスイッチングプロトコルを使用してＬＭＲコンテンツをカプセル化するよう構成されたＬＭＲカプセル化モジュール（３６）をさらに有することを特徴とする請求項１４記載のマルチモード端末デバイス。
【請求項１６】
前記陸上移動無線は、プロジェクト２５（ＴＩＡ１０２）、ＥＴＳＩ  ＴＥＴＲＡエアリンクプロトコル、オープンスカイ・メイコム独自仕様フォーマット、ネットワークファースト、及びＥＤＡＣＳシステム独自仕様フォーマットのうちの一つを使用してＬＭＲコンテンツを伝達するよう構成されていることを特徴とする請求項１３記載のマルチモード端末デバイス。
【請求項１７】
前記セルラー無線モデムは、汎用パケット無線サービス（ＧＰＲＳ）、ＧＭＳ進化用に強化されたデータ速度（ＥＤＧＥ）、進化データの最適化（ＥＶ−ＤＯ）及び汎用携帯電話サービス（ＵＭＴＳ）及び802.11システム規格のうちの一つを使用してＬＭＲコンテンツを伝達するよう構成されていることを特徴とする請求項１３記載のマルチモード端末デバイス。
【請求項１８】
動作条件、ユーザー設定及び所定の設定のうち少なくとも一つに基づいてＬＭＲコンテンツを伝達するために前記ＬＭＲ及び前記セルラー無線モデムの一方を自動的に選択するよう構成されたプロセッサをさらに具備することを特徴とする請求項１３記載のマルチモード端末デバイス。
【請求項１９】
ＬＭＲコンテンツを伝達するために前記ＬＭＲ及び前記セルラー無線モデムの一方を選択するユーザーの入力を受信するよう構成されたユーザーインタフェースをさらに具備することを特徴とする請求項１３記載のマルチモード端末デバイス。
【請求項２０】
陸上移動無線（ＬＭＲ）デバイスを使用してＬＭＲコンテンツを伝達する方法であって、
ＬＭＲネットワーク及びセルラーデータネットワークの一方を使用してＬＭＲコンテンツを伝達するようＬＭＲを構成する工程を有し、
前記ＬＭＲコンテンツは、前記セルラーデータネットワークを使用して通信する際に、パケットスイッチングプロトコルを使用してカプセル化されることを特徴とする伝達方法。
【請求項２１】
セルラー無線モデムと、
該セルラー無線モデムを介して通信するために陸上移動無線（ＬＭＲ）コンテンツをカプセル化するＬＭＲカプセル化モジュール（３６）と
を具備することを特徴とする陸上移動無線。
【発明の詳細な説明】
【技術分野】
【０００１】
本発明は、陸上移動無線に関し、より特定すると、陸上移動無線ネットワーク又はセルラーデータネットワークを使用して陸上移動無線コンテンツの伝達を提供する陸上移動無線に関する。
【背景技術】
【０００２】
陸上移動無線（ＬＭＲ）は、異なる移動ユニット間で通信する際に使用することができる。例えば公安無線通信（例えば、警察、消防署等）等の陸上移動無線帯域通信は一般に、ＶＨＦ、ＵＨＦ、700ＭHz及び800ＭHz周波数帯域内で利用可能である。これらの各周波数帯域の一部は、公安通信サービス用に連邦通信委員会（ＦＣＣ）によって割当てられており、また、公安周波数帯域とも称される。これらの通信はまた、私的陸上移動無線サービス（ＰＬＭＲＳ）を使用して提供することもできる。
【０００３】
セルラーネットはまた、例えば携帯電話等の異なる移動体ユーザー間の通信を提供する。これらのセルラーネットワークはＬＭＲネットワークと同様に、強化され続け、動作及び通信の改善を可能にする。例えば、これらのセルラーネットワークは、直接接続機能を可能にするプッシュ・トゥ・トーク（ＰＴＴ）を提供する。このため、携帯電話ユーザーは、双方向無線すなわち「ウォーキー・トーキー」型通信において、他の携帯電話ユーザーとの直接接続通信リンクを要求することができる。別の例として、これらのセルラーネットワークは、例えば、汎用パケット無線サービス（ＧＰＲＳ）、ＧＭＳ進化用に強化されたデータ速度（ＥＤＧＥ）、進化データの最適化（ＥＶ−ＤＯ）及び汎用携帯電話サービス（ＵＭＴＳ）等の高速データサービスを提供する。
【０００４】
公安用途等の例えば基幹（mission critical）無線用途用に使用できる強化された通話又は音声特徴等の強化されたサービス又は特徴を提供する公知システムは、従来のＬＭＳシステムを増大、置換するために、ＰＴＴサービス等の商用セルラーサービスを使用する。これらのシステムは、例えばＰＴＴ能力を有するセルラーネットワーク及びＬＭＲシステム間の或る相互動作能力を可能にする特殊なゲートウエー機器を使用して提供される。相互動作能力は、例えばＬＭＲネットワークからセルラーネットワークへ等のネットワーク間で通信（伝達）されるデータ又は音声の通信を翻訳又は変換することにより提供される。
【０００５】
ＬＭＲ領域において、アナログ通信に代わるデジタル通信の使用を含む新たな技術も提供される。さらに今日、ＬＭＲシステムは、例えばインタネットプロトコル（ＩＰ）及びインタネット回線を利用した音声通信（ＶｏＩＰ）を使用して回路スイッチングの代わりにパケットスイッチングを使用し、高い拡張性を有し低コストのＬＭＲネットワークを構成することが可能である。
【０００６】
しかし、これらの改善はまた、新たな技術への移行を支える必要があるという結果となる。さらに、特に異なる技術が異なるシステムで使用されるときに、異なるＬＭＲ所有者／操作者による、又は異なる携帯電話会社間で配備されるシステム間の相互動作能力は、ますます重要である。移行及び相互動作能力の双方を促進するために、マルチモード端末デバイスを使用することが知られている。ＬＭＲにおいて、これらのデバイスはマルチモード無線と称されることが多く、携帯電話の領域では、これらデバイスはマルチモード電話と称されることが多い。
【０００７】
マルチモード端末デバイスは、ユーザーが介在することなく、システム間ローミング、特に一方のネットワーク、技術から別のネットワーク、技術へのローミングを可能にする。これらの端末デバイスは、異なる技術を使用して提供される異なるシステム間をユーザーが移動（roam）すると、モードを変更する。さらに、複数のプロトコル及び周波数帯域における動作用の部品は、単一の端末デバイスに統合することができる。例えば、携帯電話領域において、マルチモード電話は、ＴＤＭＡネットワーク及びＣＤＭＡネットワーク間を移動することができる。ＬＭＲにおいて、無線は、アナログトランキングされたシステム及びデジタルトランキングされたシステム間を移動することができる。
【発明の開示】
【発明が解決しようとする課題】
【０００８】
マルチモード動作は、対応するネットワーク基盤（infrastructure）の相互接続により提供される。このため、ユーザーに透明性を提供するために、ゲートウエー機器を使用して種々のシステム又はネットワークに接続してもよい。異なるタイプのネットワーク又はシステム間を通信するための公知のデバイスは、異なる通信部品（例えば、ハードウエア及びソフトウエア）を使用する。各通信部品は、特に特定のネットワーク又はシステムと通信するよう構成されている。各システム又はネットワークについて、そのシステム又はネットワークの機能及び動作は、そのシステム又はネットワークに特有の能力及びプロトコルを使用して実施される。しかし、機能、及びユーザーが利用可能なユーザーインタフェースは端末デバイスが移動したシステムに依存するので、これらのシステムは、利用可能である機能全体の組に制限される。
【０００９】
さらに、一つのシステムの機能は、別のシステムで利用可能な機能とはかなり異なる。加えて、これらのプロトコルの不適合のため、或る種の終端間サービス、例えば終端間暗号化が提供できない。音声通信については、システムを相互接続するゲートウエーの使用は、音声データが一つのフォーマットから別のフォーマットに変換される結果として、音声品質の劣化をもたらす。
【００１０】
このため、これらのシステムは、満足できない品質レベルで作動できるばかりでなく、相互接続を実行する追加の制御及び機器を要するので、システム全体が複雑になり、コストが増加する。
【課題を解決するための手段】
【００１１】
解決手段は、陸上移動無線（ＬＭＲ）ネットワークと通信するよう構成されたＬＭＲ通信部と、セルラーデータネットワークと通信するよう構成されたセルラーデータネットワーク通信部とを有するＬＭＲにより提供される。
【００１２】
また、解決手段は、ＬＭＲ及びセルラー無線モデムを有するマルチモード端末デバイスにより提供される。
【００１３】
解決手段は、ＬＭＲデバイスを使用してＬＭＲコンテンツを伝達する方法により提供される。本方法は、ＬＭＲネットワーク及びセルラーデータネットワークのうちの一方を使用してＬＭＲコンテンツを伝達するようＬＭＲを構成する工程を有する。ＬＭＲコンテンツは、セルラーデータネットワークを使用して伝達する際に、パケットスイッチングプロトコルを使用してカプセル化される。
【発明を実施するための最良の形態】
【００１４】
以下、添付図面を参照して本発明を説明する。
【００１５】
本発明の種々の実施形態は、例えば陸上移動無線（ＬＭＲ）ネットワーク及びセルラーデータネットワークを使用するＬＭＲサービス等の、ＬＭＲコンテンツを提供するＬＭＲユニットを有するマルチモード端末デバイスを具備する。ＬＭＲコンテンツはＬＭＲ応用層を保有するが、ＬＭＲ移送プロトコルを有するＬＭＲ周波数帯域を使用する代わりに、ＬＭＲコンテンツは、セルラーパケット切換えされたデータネットワーク上でセルラー周波数帯域を使用して伝達される。
【００１６】
マルチモードデバイスは、例えばＬＭＲシステム及びセルラーシステム間をシステム間ローミングを提供するよう構成されている。セルラーシステムを使用する動作は、ＬＭＲデバイスへのセルラー無線モデムを有すること、ＬＭＲ音声、データ及び制御情報のカプセル化及び移送を通してＬＭＲ特徴を支持すること、ＬＭＲデバイス及びパケット切換えされた基盤間の終端間パケット切換えされたプロトコルを利用することにより提供される。
【００１７】
種々の実施形態において、セルラーシステムのデータサービスは、セルラーシステムを使用して通信する際に使用される。セルラー無線モデムは、ＬＭＲデバイス内の応用層と、ＬＭＲシステム又はネットワーク及びセルラーシステム又はネットワークを架橋するゲートウエーとの間のデータサービスを提供する。マルチモードＬＭＲデバイス及びゲートウエー間の終端間プロトコルは、セルラーデータネットワーク上でＬＭＲ音声及びデータサービスを移送するためにカプセル化技法を利用する。このカプセル化及びパケット切換えされた移送を実行する方法及び技法もまた、セルラープロトコル上のＬＭＲと称される。
【００１８】
本明細書においてＬＭＲコンテンツに言及する際、ＬＭＲコンテンツは一般的には、任意の型又は種類のＬＭＲ音声・データコンテンツについて言及され、特定のＬＭＲサービス、動作、制御等を定めてもよいことに留意されたい。例えば、ＬＭＲコンテンツは、音声データ、緊急信号データ、特定のトークグループの選択に関連する制御データ、無線ユニット及びサーバー間の移動用のＬＭＲデータ、再プログラムデータ（例えば、ソフトウエアのグレードアップ用データ）等を含むが、これらに限定されない。
【００１９】
無線通信システムを最初に説明し、本発明の種々の実施形態に従ったＬＭＲユニットを次に説明する。
【００２０】
図１に示されるように、無線通信システム、特に本発明の種々の実施形態に従って構成されたＬＭＲ通信システム２０は、複数のマルチモードデバイス間、特に複数のＬＭＲユニット２２すなわちＬＭＲ端末間の通信を提供する。ＬＭＲユニット２２間の通信は、ＬＭＲネットワーク２４又はセルラーデータネットワーク２６を介して提供される。各ＬＭＲユニット２２は、ＬＭＲネットワーク２４及びセルラーデータネットワーク２６の一方を使用して、例えば他のＬＭＲユニット２２との通信を提供するよう構成されている。特に、各ＬＭＲユニット２２は、例えば、利用可能なネットワーク、利用可能な帯域幅、サービス領域、通信信号強度等に基づいて、ＬＭＲネットワーク２４及びセルラーデータネットワーク２６の一方との間を切り換えるよう構成されている。任意であるが、別の実施形態において、ＬＭＲネットワーク２４及びセルラーデータネットワーク２６の一方との間のスイッチングは、通信又はコンテンツの型に基づく。このため、ＬＭＲネットワーク２４上に通信を提供することに加えて、ＬＭＲ応用層プロトコルの通信及び移送の一方又は両方を支えるために、セルラーデータネットワーク２６の無線データサービスを使用してもよい。
【００２１】
本発明の種々の実施形態は、終端間ＬＭＲサービスがセルラーデータネットワーク２６の頂上に位置することができるので、例えばこれらセルラーデータネットワーク２６のサービス領域内で基幹ＬＭＲシステムを実施することが可能である。セルラーデータネットワーク２６を使用してＬＭＲコンテンツのこの機能性及び通信を提供するために、ＬＭＲ無線等の各ＬＭＲユニット２２は、ＬＭＲユニット２２及びパケット切換えされたＬＭＲ基盤の間のサービス及び終端間ＬＭＲ応用層プロトコルを動作させることができるようセルラー無線モデムデバイスを具備する。
【００２２】
特に、図２に示されるように、ＬＭＲユニット２２として示されたマルチモード端末デバイスは、ＬＭＲネットワーク２４又はセルラーデータネットワーク２６を介して通信するよう構成された複数のモジュールすなわち部品を有する。具体的には、ＬＭＲユニット２２は、ＬＭＲ応用モジュール３０を有する。応用モジュール３０は、別体のユニットでも単一のトランシーバ（例えば、ＬＭＲ無線）として設けられてもよいＬＭＲ送信器／受信器３４を使用して（１個以上のＬＭＲ基地局４６を有する）ＬＭＲネットワーク２４を介して通信するための音声及びデータの一方又は両方を構成するＬＭＲ移送モジュール３２に接続されている。ＬＭＲ応用モジュール３０、ＬＭＲ移送モジュール３２及びＬＭＲ送信器／受信器３４は一般に、ＬＭＲユニット２２のＬＭＲ通信部４０を定める。ＬＭＲユニット２２は、セルラー無線モデム３８を使用してセルラーデータネットワーク２６を介して通信するための音声及びデータの一方又は両方をカプセル化するＬＭＲカプセル化モジュール３６をさらに有する。ＬＭＲ応用モジュール３０、ＬＭＲカプセル化モジュール３６及びセルラー無線モデム３８は一般に、ＬＭＲユニット２２のセルラーデータネットワーク通信部４２を定める。
【００２３】
具体的には、図３に示されるように、ＬＭＲユニット２２は、セレクタ４３にそれぞれ接続されたＬＭＲ通信部４０及びセルラーデータネットワーク通信部４２を有する。ＬＭＲ通信部４０、セルラーデータネットワーク通信部４２及びセレクタ４３は、プロセッサ４５にそれぞれ接続されている。さらに、メモリ４７（例えば、ＲＡＭ、ＲＯＭ）及びディスプレー２４６が、プロセッサ４５にそれぞれ接続されている。入力／出力５１は、プロセッサ４５及びセレクタ４３に接続されている。ユーザーインタフェース２５０は、プロセッサ４５に接続されている。
【００２４】
動作時において、本明細書により詳細に説明したように、プロセッサ４５は、セレクタ４３を使用してＬＭＲ通信部４０又はセルラーデータネットワーク通信部４２の一方の選択を制御するよう構成されている。プロセッサ４５は、例えば、ユーザーの選択又は所定の動作パラメータを得るために、メモリ４７にアクセスすることができる。プロセッサ４５はまた、例えば、或る機能又は動作を起動又は選択するために、ユーザーインタフェース２５０を介してユーザーから入力（例えば、指令）を受信することができる。入力／出力５１は、ＬＭＲネットワーク２４又はセルラーデータネットワーク２６（図２参照）へ送信及びこれらネットワークから受信する異なる送信、受信部品を有してもよい。ディスプレー２４６は、プロセッサ４５からの情報、例えば、チャンネル又はネットワーク選択情報等の通信情報を表示する。
【００２５】
追加の又は異なる部品は、ＬＭＲユニット２２に設けてもよい。例えば、ＬＭＲユニット２２の位置を決定するために、ＬＭＲユニット２２の一部として地球測位システム（ＧＰＳ）ユニットを設けてもよい。
【００２６】
ＬＭＲユニット２２は、例えば、ＬＭＲユニット２２用の特定用途に基づいて異なる外部構成を有して構成されてもよい。ＬＭＲユニット用の異なる外部構成の種々の実施形態は、図４ないし図７に示される。各ＬＭＲユニット用の内部構成は、図２及び図３に示される構成と同一又は類似することに留意されたい。例えば、メモリ４７又はディスプレー２４６の寸法、又はユーザーインタフェース２５０の構成を変更してもよい。特に、例示目的で図４に示されるように、ＬＭＲユニット２２０は、携帯して操作するよう構成されたハウジング２２２を有する携帯ユニットすなわち移動体ユニットとして設けられてもよい。ＬＭＲユニット２２０は、ＬＭＲユニット２２０の頂上部２２８に、電源をオン・オフし音量を制御する電源・ボリュームボタン２２４を有する。ＬＭＲ２２０の頂上部２２８にシステム又はチャンネルボタン２２６は、例えば、特定のネットワーク（例えば、ＬＭＲネットワーク２４又はセルラーデータネットワーク２６）内でチャンネル又はトークグループを変更するために設けられ、所定数の回転位置を有することができる。緊急ボタン２３０及びセレクタボタン２３２もまた、頂上部２２８に設けられている。緊急ボタン２３０は、他のユニットに警告信号を与える他のＬＭＲユニットに緊急信号を送信するために使用される。セレクタボタン２３２は、１組のチャンネル又はトークグループを選択するために使用される。アンテナ２３は、ＬＭＲユニット２２０との双方向通信を容易にするために、頂上部２２８から延びている。
【００２７】
ＬＭＲユニット２２０の側部２３６はまた、ＬＭＲユニット２２０の動作を制御するための制御部材を有する。本実施形態において、オプションボタン２３８、クリア／モニタボタン２４０及びプッシュ・トゥ・トーク（ＰＴＴ）ボタン２４２が全て側部２３６に設けられている。オプションボタン２３８は、例えば特定の動作モード（例えば、高／低電力設定、キーロック、表示画面のコントラスト、キー照明等）内の異なるオプションを選択するのに使用される。ＰＴＴボタン２４４は、ＰＴＴ動作をオン・オフするのに使用される。
【００２８】
ＬＭＲユニット２２０の前部は一般に、ディスプレー２４６、スピーカー２４８、マイクロフォン２５９及びユーザーインタフェース２５０を有する。ユーザーインタフェース２５０は、例えば、数字入力及びＬＭＲユニット２２０の種々の機能を選択するために使用されるユーザーが押す複数のボタンを有する。ユーザーインタフェースのこの部分は、例えば数字キーとして構成される。付加的な制御ボタンとして、例えば、メニューボタン２５２、増加ボタン２５４及び減少ボタン２５６が設けられている。増加ボタン２５４及び減少ボタン２５６は、例えば、システム又はチャンネルボタン２２６と同じ操作に対応する他のユーザーインプットとして同じ機能を提供するように使用できる。メニューボタン２５２は、保存されたメニューにアクセスするかディスプレー２４６に表示されたリスト内の項目を始動するのに使用される。
【００２９】
数字入力に対応する複数のユーザー押圧ボタンに関し、各々は、ＬＭＲユニット２２０の特定機能を制御すなわち始動することができる。例えば、数字ボタンの「１」２５８はまた、例えば、ＬＭＲ通信部４０及びセルラーデータネットワーク通信部４２（図２参照）間を切り換えるＬＭＲネットワーク２４又はセルラーデータネットワーク２６（図１及び図２参照）等の特定システム又はネットワークを選択するのに使用することができる。数字ボタンの「２」２６０はまた、例えば、特定システム上の所定のユーザーグループ等の特定ユーザーグループを選択するのに使用することができる。数字ボタンの「３」２６２はまた、特定システム又はネットワーク内でチャンネルをスキャンするスキャンモードの操作を選択するのに使用することができる。数字ボタンの「４」２６４はまた、例えば、私的暗号化モードをオン・オフする等の暗号化を始動するのに使用することができる。数字ボタンの「６」２６６はまた、アクセスするためのグループ又はチャンネルをＬＭＲユニット２２０に追加するのに使用することができる。数字ボタンの「７」２６８はまた、ＬＭＲユニット２２０の別のＬＭＲユニット状態にアクセスするのに使用することができる。数字ボタンの「８」２７０はまた、ＬＭＲユニット２２０が送信できる所定メッセージのリストにアクセスするのに使用することができる。数字ボタンの「９」２７２はまた、スキャンリスト内で現在選択されているシステムの選択されたグループ又はチャンネルを削除するのに使用することができる。ボタンの「＊」２７４はまた、他のユニットと相互接続通話を開始するのに使用することができる。ボタンの「＃」２７６はまた、個別通話を開始するのに使用することができる。
【００３０】
ディスプレー２４６は、例えば、１行にシステム指定を、別の行にグループ指定を、追加行にアイコン又は他の情報（例えば、操作モード）を表示する複数の行を有するよう構成されてもよい。他の情報、例えばバッテリ電力レベルインジケータをディスプレー２４６に設けてもよい。
【００３１】
ＬＭＲユニット２２０はまた、システムユニットとも称される。スキャンユニットとして構成されたＬＭＲユニット２８０が、図５に示される。同様の数字は、図４に示されるように、同様の部品を表わす。ＬＭＲユニット２８０のユーザーインタフェース２５０は、現在選択されているシステムのスキャンリストから選択されたトークグループ又はチャンネルを追加及び削除するＡ／Ｄボタン２８２、スキャン動作をオン・オフするＳＣＮボタン２８４、及び１個以上のオプションを始動させるＯＰＴボタン２８６のみを有する。
【００３２】
他の種々の実施形態は、異なる用途又は異なる設定で使用するためのＬＭＲユニットの構成を提供する。例えば、図６に示されたＬＭＲユニット３００は、デスクトップ又はダッシュボード操作用（例えば、ダッシュボード上に実装）に構成されてもよい。図７に示されたＬＭＲユニット３１０は、例えば、自動車のダッシュボード３１２内に一体化されている。図６及び図７における同様の数字は、図４及び図５における同様の数字に対応する。
【００３３】
ＬＭＲユニットは、例えば、ＬＭＲユニットが受信、送信する信号を濾波するための受信フィルタ、送信フィルタであるフィルタ（図示せず）等の追加部品を有してもよい。ＬＭＲユニットはまた、例えば、ＬＭＲ通信部４０及びセルラーデータネットワーク通信部４２（図２参照）間を切り換えるための専用スイッチ（図示せず）又は他のコントローラを有してもよい。
【００３４】
以下でＬＭＲユニット２２について言及する際に、ＬＭＲ２２０，２８０，３００，３１０を含む任意の実施形態が使用されることに留意されたい。
【００３５】
動作時において、ＬＭＲシステム２０は、例えば、ＬＭＲエアリンクプロトコル等の公知の異なるプロトコルを使用してＬＭＲネットワーク２４を介して通信してもよい。例えば、これらのＬＭＲエアリンクプロトコルは、プロジェクト２５（ＴＩＡ１０２）及びＥＴＳＩ  ＴＥＴＲＡ規格を含む。これらのＬＭＲエアリンクプロトコルは、ＬＭＲユニット２２及びＬＭＲネットワーク２４等のＬＭＲユニットと、特にＬＭＲ基地局４６との間の情報交換用のフォーマット及び手順を特定する。基地局４６がより大きなシステムの一部である場合、基地局４６は、システムの異なる部分間の音声及びデータを他のＬＭＲ基地局又はディスパッチ制御装置等に送るスイッチング機器（図示せず）に相互接続されることに留意されたい。
【００３６】
知られているように、ＬＭＲ基地局４６は、例えば、スイッチング機器へ移送するために、ＬＭＲネットワーク２４内で通信するのに適する別のフォーマットにエアリンク上で受信された音声、データ及び制御の情報を処理、例えば操作する。例えば、受信された不連続の音声、データ及び制御伝送は、結果として得られたＩＰパケットがＩＰネットワーク上のＬＭＲ基地局４６及びスイッチング機器間で伝達（通信）された状態で、公知のようにＴＣＰ／ＩＰ又はＵＤＰ／ＩＰパケットにカプセル化されてもよい。
【００３７】
ＬＭＲユニット２２はまた、例えば、汎用パケット無線サービス（ＧＰＲＳ）、ＧＭＳ進化用に強化されたデータ速度（ＥＤＧＥ）、進化データの最適化（ＥＶ−ＤＯ）及び汎用携帯電話サービス（ＵＭＴＳ）及び802.16規格等の公知の異なるプロトコルを使用してセルラーデータネットワーク２６を介して通信してもよい。これらのセルラープロトコルは、ＬＭＲユニット２２と、特にセルラー無線モデム３８と、セルラーデータネットワーク２６との間の情報交換のためのフォーマット及び手順を特定する。
【００３８】
例えば、基地局（図示せず）を有するセルラータワー（図示せず）を、ＬＭＲユニット２２からの信号を受信し、処理、例えば、受信した音声、データ及び制御の情報をセルラーデータネットワーク２６内での通信に適する別のフォーマットに操作し、例えば、受信されたデータパケット用のＩＰアドレスに基づいてルーター及びサーバー（図示せず）に移送するために、設けてもよい。例えば、受信されたカプセル化された信号は、カプセル開放されると共にセルラーデータネットワーク２６内で適当に送られる。
【００３９】
このため、ＬＭＲネットワーク２４又はセルラーデータネットワーク２６からのデータをパケット切換えされたＬＭＲ基盤４１へ伝達される。ＬＭＲコンテンツ及びＬＭＲネットワークは、異なるエアリンクプロトコルに基づいて構成されてもよいことに留意されたい。ＬＭＲユニット２２を使用してＬＭＲネットワーク２４又はセルラーデータネットワーク２６を介して通信するために、これらネットワークの各々と通信するための通信プロトコルスタックは、図８に示されるように区分されている。特に、ＬＭＲネットワーク２４を使用してＬＭＲユニット２２と通信することに関し、ＬＭＲプロトコルスタック６０は、典型的な一実施形態ではＬＭＲ応用層６２及びＬＭＲ移送層６４を有する２層のプロトコルスタックである複数の層に区分されている。応用層６２及びＬＭＲ移送層６４は、例えば、それぞれＬＭＲ応用モジュール３０及びＬＭＲ移送モジュール３２（両方とも図２に図示）により設けることができる。ＬＭＲ応用層６２は、音声、データ及び制御の情報の翻訳及び処理を提供するよう構成される。また、ＬＭＲ移送層６４は、伝送媒体上で音声、データ及び制御の情報を配信するよう構成されている。本明細書に記載されているように、ＬＭＲエアリンクプロトコルは、ＬＭＲ応用層６２及びＬＭＲ移送層６４の双方を定める。
【００４０】
この２層プロトコルスタックモデルにおいて、ＬＭＲ基地局４６（図２参照）及びＬＭＲネットワーク２４（図２参照）内のスイッチング機器は、ＬＭＲ通信部４０からのコンテンツを受信し、間のＬＭＲ応用層６２のコンテンツを異なる移送層と通信する。特に、図３に示されるように、応用層６２のコンテンツは、知られているようにＬＭＲコンテンツカプセル化６６を使用してＬＭＲ基地局４６（図２参照）でカプセル化される。典型的な一実施形態において、不連続の伝送ユニットは、移送データグラム内、特に、移送プロトコルを使用して通信されるパケット切換えされた移送データグラム６８内でカプセル化される。カプセル化されたデータグラムを受信すると、次に、応用層コンテンツが回復され、特にカプセル開放される。
【００４１】
さらに、この２層プロトコルスタックモデルは、例えば、セルラーデータネットワーク通信部４２（図２参照）を使用して非ＬＭＲ無線ネットワーク上でＬＭＲ応用層サービスを配信することを可能にする。具体的には、セルラーデータネットワーク通信部４２はＬＭＲ応用層６２を提供するよう構成され、ＬＭＲ移送層６４を使用する代わりに、無線セルラーデータネットワーク２６（図２参照）の移送サービスが使用される。特に、ＬＭＲカプセル化層７０はパケット切換えされた移送データグラム６８を用いて使用されるので、無線セルラーデータネットワーク２６は適当な移送プロトコルを使用してスイッチング機器と通信する。これにより、ＬＭＲ通信部４０と同じＬＭＲ応用層サービスを配信する。具体的には、パケット切換えされたＬＭＲ基盤４１（図２参照）は、パケット切換えされた移送データグラム６８と組み合わせてＬＭＲ応用層スイッチング７２を使用してＬＭＲ応用サービスを伝える。
【００４２】
種々の実施形態は２層プロトコルスタックに限定されず、必要ならば、多層プロトコルスタックに追加層を設けてもよいことを留意されたい。例えば、大量暗号化層等の異なるセッション層を設けてもよい。さらに、例えば、ＲＴＰ層を設けてもよい。
【００４３】
本発明の種々の実施形態は、ＬＭＲネットワーク、及び特に無線セルラーデータネットワークである非ＬＭＲ無線ネットワークを使用して、ＬＭＲ通信システム内でＬＭＲコンテンツの通信を制御する。特に、ＬＭＲコンテンツの通信を制御する方法１００が、図９に示され、ＬＭＲコンテンツの伝達に使用するネットワークを決定する工程１０２を有する。典型的な一実施形態において、ＬＭＲネットワーク又はセルラーデータネットワークを使用してＬＭＲコンテンツが伝達されるかどうかについて決定がなされる。この決定は、例えばどのネットワークを使用するかという選択のユーザー入力に基づいた、手動選択に基づいてもよい。この選択は、例えば、ＬＭＲユニット２２（図２参照）のボタンすなわちスイッチを使用して行ってもよい。或いは任意であるが、どのネットワークを使用するかの決定を自動的に行ってもよい。例えば、ＬＭＲコンテンツを伝達するネットワークの選択は、特定ネットワーク又は利用可能な帯域幅上のデータトラヒック量、伝送優先度のレベル、通信又はコンテンツのタイプ（例えば、音声、又は緊急放送信号、緊急通信又はＰＴＴ要求）、ＬＭＲユニット用の信号強度、ＬＭＲユニットの地理的位置、ユーザーの選択等に基づいてもよい。ＬＭＲユニットと通信する際に使用するネットワークの動作及び選択は、図１２に関連して以下に詳細に説明する。
【００４４】
ＬＭＲコンテンツの伝達に使用するネットワークが工程１０２で決定された後、使用が決定されたネットワークに基づいて、通信方法が工程１０４で選択される。例えば、通信の速度すなわちボーレートを、通信データ速度の範囲から（手動又は自動で）選択してもよい。さらに、決定されたネットワークを確立しそのネットワークに接続するための準備手順を選択してもよい。例えば、ＬＭＲネットワークが使用される場合、ＬＭＲユニット内のＬＭＲ送信器／受信器を介してＬＭＲユニット及びＬＭＲネットワート間に通信リンクが確立するＬＭＲネットワーク通信の準備ルーチンを実行してもよい。セルラーデータネットワークが使用される場合、ＬＭＲユニットのセルラー無線モデムを介してＬＭＲユニット及びセルラーデータネットワーク間に通信リンクが確立するセルラーデータネットワーク通信の準備ルーチンを実行してもよい。この準備ルーチンは、無線通信リンクを確立するために知られているように、任意の適当な処理を含んでもよい。
【００４５】
その後、工程１０６で、ＬＭＲコンテンツが、選択されたネットワーク及び選択された通信方法に基づいて伝達されるよう構成される。例えば、ＬＭＲコンテンツがＬＭＲネットワークを使用して伝達される場合、ＬＭＲコンテンツを構成又はフォーマットする特定ＬＭＲ規格が選択される。特に、ＬＭＲコンテンツを定める音声及びデータのうち一方又は両方のペイロードを構成するＬＭＲ規格が選択される。これは、例えば、通信方法用のプロジェクト２５（ＴＩＡ１０２）又はＥＴＳＩ  ＴＥＴＲＡ規格のうちの一方を選択することを含んでもよい。さらに、例えば、オープンスカイ・メイコム独自仕様フォーマット、ネットワークファースト又はＥＤＡＣＳシステム独自仕様フォーマット等の独自仕様のフォーマットを選択してもよい。
【００４６】
さらに、例えば、ＬＭＲコンテンツがセルラーデータネットワークを使用して伝達される場合、ＬＭＲコンテンツを構成又はフォーマットする特定無線セルラーデータネットワーク規格が選択される。特に、ＬＭＲコンテンツを定める音声及びデータのうち一方又は両方のペイロードを構成する無線セルラー規格が選択される。これは、例えば、汎用パケット無線サービス（ＧＰＲＳ）、ＧＭＳ進化用に強化されたデータ速度（ＥＤＧＥ）、進化データの最適化（ＥＶ−ＤＯ）及び汎用携帯電話サービス（ＵＭＴＳ）及び802.11システム規格のうちの一つを選択することを含んでもよい。
【００４７】
付加的に、図８に関して詳細に上述したように、ＬＭＲコンテンツを伝達するのに使用されるネットワークに基づいて、特定プロトコルスタックを使用してもよい。さらに、ＬＭＲネットワークを使用してＬＭＲコンテンツが伝達される場合、ＬＭＲプロトコルヘッダがＬＭＲデータペイロードに追加される。セルラーデータネットワークを使用してＬＭＲコンテンツが伝達される場合、パケットスイッチプロトコルヘッダが追加される。以下に詳細に説明するように、セルラーデータネットワークを使用してＬＭＲコンテンツを伝達する場合、ＬＭＲコンテンツは、カプセル化、例えば、セルラーデータネットワークへ又はセルラーデータネットワークへの通信の前に、インタネットプロトコル（ＩＰ）ラッパ（wrapper）でＩＰカプセル化される。データをカプセル化する方法は、図１３に関して以下に詳細に説明する。
【００４８】
図９に戻ると、ＬＭＲコンテンツが工程１０６で構成された後、構成されたＬＭＲコンテンツは工程１０８で伝達される。例えば、ＬＭＲネットワークを使用してＬＭＲコンテンツが伝達されるよう構成される場合、ＬＭＲコンテンツを伝達するためにＬＭＲ送信器及び受信器を使用してもよい。セルラーデータネットワークを使用してＬＭＲコンテンツが伝達されるよう構成される場合、ＬＭＲコンテンツを伝達するためにセルラー無線モデムを使用してもよい。セルラー無線モデムを、動作の単一モードで動作するよう構成してもよいし、複数のモードで動作するよう構成してもよいことに留意されたい。別の実施形態において、２個以上のセルラー無線モデムを設けてもよい。各セルラー無線モデムは、動作の単一モードで動作するよう構成してもよいし、動作の複数のモードで動作するよう構成してもよい。
【００４９】
例えばネットワークの基地局によりＬＭＲコンテンツが伝達され受信された後、ＬＭＲコンテンツは、アクションを決定するために工程１１０で処理される。例えば、この処理は、音声データを伝達する決定、緊急信号を発する決定、又はトークグループにＰＴＴ要求を発する決定であってもよい。例えば、セルラーデータネットワークを使用してＬＭＲコンテンツが伝達される場合、カプセル化されたデータグラムのＩＰ宛先アドレスが、最初に決定され、次にネットワークのルーターを使用して処理するためにそのロケーションに伝達されてもよい。
【００５０】
別の一実施形態において、図１０に示されるように、パケット切換えされたプロトコルインタフェース１２０を、セルラーデータネットワーク２６（図２参照）に関連して設けてもよい。パケット切換えされたプロトコルインタフェース１２０は、例えば、別体のユニット（例えば独立型モジュール）、セルラーデータネットワーク内でサーバーに接続するためのカード、又はセルラーデータネットワーク内でサーバーにダウンロードするためのソフトウエア等としてもうけてもよい。パケット切換えされたプロトコルインタフェース１２０は、例えばパケット切換えされたＬＭＲ基盤４１（図２参照）に伝達するために受信されたパケット切換えされたカプセル化ＬＭＲコンテンツを処理するためのプロセッサ１２２を有する。特に、本明細書で詳述したように、プロセッサは、図１１に示されたようにフォーマット化されたＬＭＲコンテンツを受信してもよい。ＬＭＲコンテンツは一般に、ＬＭＲデータ部及びパケットスイッチングプロトコルカプセル化部を有する。具体的には、ＬＭＲコンテンツ１３０は、パケットスイッチプロトコルヘッダ１３２、ＬＭＲプロトコルヘッダ１３４、及びＬＭＲデータペイロード等のＬＭＲデータ１３６を有してもよい。
【００５１】
このＬＭＲコンテンツ１３０は、基本的にカプセル化、例えばＩＰラッパでカプセル化される。プロセッサ１２２は、例えばパケットスイッチプロトコルヘッダ１３２を除去することによりＬＭＲコンテンツ１３０をカプセル開放し、メモリ１２４内にカプセル開放されたＬＭＲコンテンツ１３０を保存してもよい。次に、ＬＭＲコンテンツ１３０は、実行されるアクション又はＬＭＲコンテンツ１３０が伝達されるパケット切換えされたＬＭＲ基盤内のアドレスを決定するために、プロセッサ１２２によりさらに処理される。基本的には、ＬＭＲコンテンツ１３０は、一旦カプセル開放されると、パケット切換えされたＬＭＲ基盤又はＬＭＲネットワーク内で伝達するよう構成される。ＬＭＲコンテンツ１３０の伝達は、コントローラ１２６により制御される。コントローラ１２６は、例えばＬＭＲネットワーク内の宛先にＬＭＲコンテンツ１３０を送るためのルーター１２８を有してもよい。ＬＭＲコンテンツは、ＬＭＲネットワーク内又はセルラーデータネットワーク内で伝送するために、再びカプセル化されてもよいことを留意されたい。
【００５２】
ＬＭＲにより使用するネットワークを動作させ選択すること、特に、ＬＭＲネットワーク又はセルラーデータネットワーク等の非ＬＭＲネットワークを選択してＬＭＲコンテンツを伝達することを説明する。一般に、ＬＭＲユニットは、例えば、ユーザー設定、所定の設定、ユーザー定義設定、ＬＭＲユニットの動作条件等に基づいて使用するネットワークを自動的に選択することができる。システムの選択はまた、ＬＭＲユニット上でユーザーがセレクタすなわち入力を使用することにより行なわれる。ＬＭＲユニットの動作モードを選択、特に通信用に特定のネットワークを使用する方法３５０は、図１２に示される。具体的には、現在のネットワーク又は通信システムが使用されることに関しては、工程３５２で決定される。次に、ＬＭＲユニットの動作条件は、工程３５４で決定される。これは、例えば、現在の信号の強度、現在の地理的位置等を含む。その後、工程３５６で、特定のネットワークに対するユーザーの任意の入力又は選択について決定される。例えば、ユーザーは、セルラーデータネットワークサービスが弱いことをユーザーが知っている領域でＬＭＲネットワークを使用する思考、或いはＬＭＲネットワークサービスがないことをユーザーが知っているセルラーデータネットワークを使用する選択等の地理的領域に基づく特定のネットワークの選択を入力することができる。このユーザーの選択はまた、例えば、利用できる場合にセルラーデータネットワークをいつも最初に使用することであってもよい。この入力はまた、ＬＭＲユニットのボタンすなわちセレクタを使用してＬＭＲネットワーク又はセルラーデータネットワークのユーザーの手動選択に基づいてもよい。
【００５３】
その後、工程３５８で、ＬＭＲユニットのＬＭＲ設定に関して決定される。これは、例えば、特定ネットワーク又はそのネットワーク上で利用可能な帯域幅上のデータトラヒック閾値レベル、伝送優先度のレベル、通信又はコンテンツのタイプ（例えば、音声、又は緊急放送信号、緊急通信又はＰＴＴ要求）、通信に使用される現在のネットワーク等に基づいて、ＬＭＲユニット用の予めプログラムされた設定又は選択を決定することを含んでもよい。次に、工程３６０で、ＬＭＲ設定がユーザーの入力又は選択に優先するか、又はその逆かが決定される。例えば、ＬＭＲユニットは、緊急放送メッセージがＬＭＲネットワーク上に送信されねばならず、任意のユーザー入力又は選択に優先するように構成されてもよい。ＬＭＲ設定がユーザー入力又は選択に優先しない場合、工程３６２で、通信用に使用されるネットワークがユーザー入力又は選択に基づいて選択され、ＬＭＲユニットの対応する通信部が、ＬＭＲユニット２２のＬＭＲ通信部４０又はＬＭＲユニット２２のセルラーデータネットワーク４２にアクセスされる（図２参照）。これはまた、ＬＭＲユニットの決定された動作条件を使用して選択することができる。
【００５４】
工程３６０でＬＭＲ設定がユーザー入力又は選択に優先すると決定されると、工程３６４で通信用に使用するネットワークがＬＭＲ設定に基づいて選択される。これはまた、ＬＭＲユニットの決定された動作条件を使用して選択することを含んでもよい。工程３６２又は工程３６４のいずれかでされる使用するネットワークの選択が、新たに選択されたネットワーク又はネットワークに変更が無い（すなわち、通信用の現在のネットワークを使用して継続する）という結果になり得ることに留意されたい。さらに、工程３６２又は工程３６４のいずれかでネットワークを選択した後、ネットワークが変更されると、工程３６６で、例えば聴覚的指示（例えば、音）又は視覚的指示（例えば、ＬＭＲユニットのＬＥＤの点灯又はディスプレー上に表示されるネットワーク選択）で指示してもよい。
【００５５】
例えば、周期的に又はユーザー入力等の所定の事柄があったときに、所定の閾値を超えることを含むＬＭＲユニットの動作条件の変更する方法３５０が実行されてもよい。
【００５６】
次に、図１３を参照すると、ＬＭＲコンテンツの処理方法１５０が開示され、工程１５２において、ＬＭＲネットワークを使用して、ＬＭＲコンテンツが伝達されるかどうかについて決定がなされる。工程１５２でＬＭＲネットワークを使用してＬＭＲコンテンツが伝達されることが決定されると、次に、工程１５４において、ＬＭＲコンテンツがＬＭＲネットワークに伝達される。これは、ＬＭＲコンテンツに関連して設けられたＬＭＲプロトコルヘッダに基づいてＬＭＲネットワークの基地局にＬＭＲコンテンツを伝達する工程を含んでもよい。その後、ＬＭＲコンテンツは、工程１５６でカプセル化、例えば、本明細書で説明したようにエアリンクプロトコルで定められるラッパ内でカプセル化され、工程１５８で送られる。例えば、データグラムとして構成されてもよいカプセル化されたＬＭＲコンテンツは、パケット切換えされたＬＭＲ基盤内で送られてもよい。
【００５７】
ＬＭＲコンテンツの宛先において、ＬＭＲコンテンツは、工程６０で処理、例えばカプセル開放され、次に、処理後のデータに基づいて工程１６２でアクションが決定される。例えば、工程１６２で、緊急信号が送信される決定、又はＬＭＲコンテンツが別の基地局にさらに送られる決定がなされる。次に、工程１６４において、対応するアクションが、例えば、パケット切換えされたＬＭＲ基盤内で実行される。
【００５８】
ＬＭＲネットワークを使用してＬＭＲコンテンツを伝達しないことが工程１５２で決定されると、次に、ＬＭＲコンテンツは工程１６６で伝達（通信）用にカプセル化される。例えば、典型的な一実施形態において、ＬＭＲカプセル化モジュール３６（図２参照）は、ＬＭＲカプセル化層７０（図８参照）を実行し、ラッパ、例えばＩＰラッパ内にＬＭＲコンテンツをカプセル化する。カプセル化されたＬＭＲコンテンツは、次に工程１６８で、セルラーデータネットワークを使用して伝達される。これは、工程１７０において、セルラーデータネットワーク内でカプセル化ＬＭＲコンテンツを送る工程を含んでもよい。ＬＭＲコンテンツは、例えば、ＩＰラッパからのＩＰアドレスに基づいて、工程１７２でパケット切換えされた基盤に伝達される。
【００５９】
次に、ＬＭＲコンテンツが宛先で処理される。この処理は、ＬＭＲコンテンツをカプセル開放すること、及び工程１６２でのアクションを決定することを含んでいてもよい。例えば、緊急信号が送信される、又はＬＭＲコンテンツを別の基地局にさらに送るという決定がされてもよい。次に、対応するアクションが工程１６４で例えばパケット切換えされたＬＭＲ基盤内で実行される。
【００６０】
このように、本発明の種々の実施形態が、ＬＭＲネットワーク、又は例えばセルラーデータネットワークである非ＬＭＲネットワークを使用して、ＬＭＲコンテンツを伝達するために提供される。ＬＭＲコンテンツがセルラーデータネットワークを使用して伝達される場合、ＬＭＲコンテンツは、送信前にパケットスイッチングプロトコルにカプセル化される。例えば、図１４に示されるように、ＬＮＲ通信システム２００は一般に、複数のセルラーデータネットワーク基地局２０２及び複数のＬＭＲネットワーク基地局２０４を有する。複数のセルラーデータネットワーク基地局２０２及び複数のＬＭＲネットワーク基地局２０４は、対応するセルラーデータネットワーク通信サービス領域２０６及びＬＭＲネットワーク通信サービス領域２０８をそれぞれ有する。セルラーデータネットワーク通信サービス領域２０６及びＬＭＲネットワーク通信サービス領域２０８は、いくつかの位置で重なってもよい。本明細書で説明した本発明の種々の実施形態は、例えば移動体ユニット又は自動車内のＬＭＲ無線であるＬＭＲユニット２１０が、例えばＬＭＲユニット２１０の位置及び対応する利用可能なサービス領域に依存して、セルラーデータネットワーク又はＬＭＲネットワークを介して通信することを可能にする。特に、複数のセルラーデータネットワーク基地局２０２の各々及び複数のＬＭＲネットワーク基地局２０４の各々に対応する通信タワー（図示せず）は、本明細書で説明したように無線通信を可能にする。
【００６１】
さらに、図１５に示されるように、パケット切換えされた基盤４１内のコントローラ２１２は、本明細書で説明したように、複数のセルラーデータネットワーク基地局２０２及び複数のＬＭＲネットワーク基地局２０４からの通信を制御するよう構成されてもよい。コントローラは、本明細書で説明したように、特定のデータパケット用の適当なアクションすなわち送り手順を決定するために、ＬＭＲネットワーク２４又はセルラーデータネットワーク２６から受信される複数のデータパケットを処理してもよい。
【００６２】
種々の実施形態又は部品、例えば、ＬＭＲ通信システム２０又はコントローラ、ＬＭＲユニット又はコントローラは、ＬＭＲ通信システム２０又はＬＭＲユニットとは分離した、或いはＬＭＲ通信システム２０又はＬＭＲユニットと一体である１個以上のコンピュータシステムの一部として実施してもよい。このコンピュータシステムは、コンピュータ、入力デバイス、ディスプレーユニット、及び例えばインタネットアクセス用のインタフェースを有してもよい。コンピュータはマイクロプロセッサを有してもよい。マイクロプロセッサは通信バスに接続されてもよい。コンピュータはメモリを有してもよい。メモリは、ランダムアクセスメモリ（ＲＡＭ）及びリードオンリーメモリ（ＲＯＭ）を有してもよい。コンピュータシステムは、ハードディスクドライブ、又はフロッピーディスクドライブ、光ディスクドライブ等の分離可能な保存ドライブである保存デバイスをさらに有してもよい。保存デバイスはまた、コンピュータシステムにコンピュータプログラム又は他の指令をロードするための他の同様の手段であってもよい。
【００６３】
本明細書で使用されているように、「コンピュータ」の用語は、マイクロコントローラ、ＲＩＳＣ、ＡＳＩＣ、論理回路、他の任意の回路、又は本発明に記載した機能を実行できるプロセッサを使用したシステムを含む、任意のプロセッサベース又はマイクロプロセッサベースのシステムを有してもよい。上述の例は、典型例であり、「コンピュータ」の定義又は意味を限定する意図はない。
【００６４】
コンピュータシステムは、入力データを処理するために、１個以上の保存要素に保存される一組の命令を実行する。保存要素はまた、必要ならデータ又は他の情報を保存してもよい。保存要素は、情報源の形態であってもよく、また、処理装置内の物理的メモリ要素であってもよい。
【００６５】
命令の組は、本発明の種々の実施形態の方法及び処理等の特定の動作を実行する処理装置としてコンピュータに指令する種々の命令を有してもよい。命令の組は、ソフトウエアプログラムの形態であってもよい。ソフトウエアは、システムソフトウエア又は応用ソフトウエア等の種々の形態であってもよい。さらに、ソフトウエアは、分離したプログラムの集合体、大きなプログラム内のプログラムモジュール、又はプログラムモジュールの一部の形態であってもよい。ソフトウエアはまた、オブジェクト指向型プログラミングの形態のモジュラープログラミングを有してもよい。処理装置による入力データの処理は、ユーザーコマンドに応答してもよいし、前の処理の結果に応答してもよいし、他の処理装置の要求に応答してもよい。
【００６６】
本明細書で使用されているように、「ソフトウエア」及び「ファームウエア」の用語は交換可能であり、ＲＡＭメモリ、ＲＯＭメモリ、ＥＰＲＯＭメモリ、ＥＥＰＲＯＭメモリ、不揮発ＲＡＭ（ＮＶＲＡＭ）を含む、コンピュータで実行するためのメモリに保存された任意のコンピュータプログラムを含んでもよい。メモリのタイプは例示のみであるので、コンピュータプログラムの保存に使用可能なメモリのタイプについて限定するものではない。
【００６７】
本発明の種々の実施形態はまた異なる機能性、追加の機能性を設けてもよいことを留意されたい。例えば、終端間の暗号化を実行してもよく、これにより、介在する暗号化機器の使用、及び暗号キーにアクセスしてこのような介在する機器を有することにより遭遇する安全上の危機をなくす。さらに、本発明の種々の実施形態は、終端間のデジタル音声コード化を設けることができ、これにより、介在するコード変換機器の使用、及びデジタル音声フォーマットが別のフォーマットに変換される際に遭遇する忠実性損失をなくす。
【００６８】
さらに、本発明の種々の実施形態は、例えば、ＰＴＴ、スキャニング、先取り権付きの優先コール、緊急警報、注意、コンテンツスキャニング及びトラッキング、ナビゲーション、ディスパッチ及びＧＰＳ位置決め等の基幹機能を提供してもよい。基幹機能は、公安、ユーティリティ産業及び公共輸送産業を含むがこれらに限定されない異なる基幹用途で実施することができる。
【００６９】
このため、種々の実施形態は、ＬＭＲユニットが動作するシステム（例えば、ＬＭＲネットワーク又はセルラーネットワーク）とは独立して、同一の特徴、機能及びユーザーインタフェース他を実施することができるマルチモード動作を提供する。種々の実施形態はまた、異なるシステムにわたるＬＭＲデバイス間の終端間暗号化を可能にする。さらに、音声コンテンツのコード化及び記録をなくことにより、音声品質を維持する。
【図面の簡単な説明】
【００７０】
【図１】本発明の典型的な一実施形態に従って構成された陸上移動無線（ＬＭＲ）通信システムを示すブロック図である。
【図２】本発明の典型的な一実施形態に従って構成されたＬＭＲユニットを示すブロック図である。
【図３】本発明の典型的な一実施形態に従って構成されたＬＭＲユニットの内部構成を示すブロック図である。
【図４】本発明の典型的な一実施形態に従って構成された外部構成を示すＬＭＲユニットの斜視図である。
【図５】本発明の典型的な別の実施形態に従って構成された外部構成を示すＬＭＲユニットの斜視図である。
【図６】本発明の典型的な別の実施形態に従って構成された外部構成を示すＬＭＲユニットの斜視図である。
【図７】本発明の典型的な別の実施形態に従って構成された外部構成を示すＬＭＲユニットの斜視図である。
【図８】本発明の典型的な一実施形態に従ったプロトコルスタックを示すブロック図である。
【図９】本発明の典型的な一実施形態に従ったＬＭＲ通信システム内のＬＭＲコンテンツの伝達の制御方法を示すフローチャートである。
【図１０】本発明の典型的な一実施形態に従って構成されたパケット切換えされたプロトコルインタフェースを示すブロック図である。
【図１１】本発明の典型的な一実施形態に従ったフォーマット化されたＬＭＲコンテンツを示すブロック図である。
【図１２】本発明の典型的な一実施形態に従ったＬＭＲの作動モードを選択する方法を示すフローチャートである。
【図１３】本発明の典型的な一実施形態に従ったＬＭＲコンテンツを処理する方法を示すフローチャートである。
【図１４】通信サービス領域を示す本発明の典型的な一実施形態に従って構成されたＬＭＲ通信システムを示すブロック図である。
【図１５】データフローを示す本発明の典型的な一実施形態に従って構成されたＬＭＲ通信システムを示すブロック図である。
【符号の説明】
【００７１】
２２    陸上移動無線（ＬＭＲ）
２４    ＬＭＲネットワーク
２６    セルラーデータネットワーク
３６    ＬＭＲカプセル化モジュール
３８    セルラー無線モデム
４０    ＬＭＲ通信部
４２    セルラーデータネットワーク通信部
４５    プロセッサ
１３０  ＬＭＲコンテンツ
２４６  ディスプレー
２５０  ユーザーインタフェース
３１２  ダッシュボード
【図１】
2008546250.tif 000003
【図２】
2008546250.tif 000004
【図３】
2008546250.tif 000005
【図４】
2008546250.tif 000006
【図５】
2008546250.tif 000007
【図６】
2008546250.tif 000008
【図７】
2008546250.tif 000009
【図８】
2008546250.tif 000010
【図９】
2008546250.tif 000011
【図１０】
2008546250.tif 000012
【図１１】
2008546250.tif 000013
【図１２】
2008546250.tif 000014
【図１３】
2008546250.tif 000015
【図１４】
2008546250.tif 000016
【図１５】
2008546250.tif 000017
【国際調査報告】
2008546250.tif 000018
2008546250.tif 000019
2008546250.tif 000020
2008546250.tif 000021